(57)【要約】【課題】  エレベータで異常が発生した際に、乗りかご内を撮影した映像情報を、効率よく蓄積することが可能なエレベータ監視装置を提供する。【解決手段】  実施形態によればエレベータ監視装置は、センサ情報取得部と異常行動判定部と録画処理指示部とを備える。センサ情報取得部は、エレベータの乗りかご内の状況を判断するためのセンサ情報を取得する。異常行動判定部は、センサ情報に基づいて乗りかごの中の乗客に異常行動があったと判定すると異常行動検知信号を出力する。録画処理指示部は、異常行動検知信号が出力されたときに、乗りかご内に設置される監視カメラ装置で撮影される映像情報のうち、異常行動検知信号が出力された時点の所定時間前から所定時間後までの映像情報部分を抽出して録画させるための指示を送出する。【選択図】図１
2015151222.tif 000002
【特許請求の範囲】
【請求項１】
エレベータの乗りかごに設置された監視カメラ装置で撮影される、前記乗りかご内の映像情報を管理する映像管理装置に接続されるエレベータ監視装置において、
前記乗りかごにかかる荷重量と、当該エレベータが設置された建物内で地震が発生したことを検知したときに出力される地震検知情報と、当該建物の外部で所定風速値以上の風が発生したことを検知したときに出力される風検知情報とを取得するセンサ情報取得部と、
前記センサ情報取得部で地震検知情報が取得されず、且つ、風検知情報が取得されていないときに、前記乗りかごにかかる荷重量が所定時間内に所定値以上変化すると、前記乗りかごの中の乗客に異常行動があったと判定し、異常行動検知信号を出力する異常行動判定部と、
前記異常行動判定部で異常行動検知信号が出力されたときに、前記乗りかご内の映像情報のうち、前記異常行動検知信号が出力された時点の所定時間前から所定時間後までの映像情報部分を抽出して録画させるための指示を前記映像管理装置に送信する録画処理指示部と
を備えることを特徴とするエレベータ監視装置。
【請求項２】
エレベータの乗りかごに設置された監視カメラ装置で撮影される、前記乗りかご内の映像情報を管理する映像管理装置に接続されるエレベータ監視装置において、
前記乗りかご内の音声情報を取得するセンサ情報取得部と、
前記センサ情報取得部で取得された音声情報が、所定値よりも大きい音声情報、所定時間よりも長い音声情報、または異常時に発せられる奇音による音声情報であることを検知すると、前記乗りかごの中の乗客に異常行動があったと判定し、異常行動検知信号を出力する異常行動判定部と、
前記異常行動判定部で異常行動検知信号が出力されたときに、前記乗りかご内の映像情報のうち、前記異常行動検知信号が出力された時点の所定時間前から所定時間後までの映像情報部分を抽出して録画させるための指示を前記映像管理装置に送信する録画処理指示部と
を備えることを特徴とするエレベータ監視装置。
【請求項３】
エレベータの乗りかごに設置された監視カメラ装置で撮影される、前記乗りかご内の映像情報を管理する映像管理装置に接続されるエレベータ監視装置において、
前記乗りかごのかごドアが開状態であることを検知したときに出力されるドア開検知情報を取得するセンサ情報取得部と、
前記乗りかごが建物内のいずれの階床にも着床していないときに前記センサ情報取得部で前記ドア開検知情報が取得されると、前記乗りかごの中の乗客に異常行動があったと判定し、異常行動検知信号を出力する異常行動判定部と、
前記異常行動判定部で異常行動検知信号が出力されたときに、前記乗りかご内の映像情報のうち、前記異常行動検知信号が出力された時点の所定時間前から所定時間後までの映像情報部分を抽出して録画させるための指示を前記映像管理装置に送信する録画処理指示部と
を備えることを特徴とするエレベータ監視装置。
【請求項４】
エレベータの乗りかごに設置された監視カメラ装置で撮影される、前記乗りかご内の映像情報を管理する映像管理装置に接続されるエレベータ監視装置において、
前記乗りかご内のかご内操作盤に設置されたボタンの操作状況情報を取得するセンサ情報取得部と、
前記センサ情報取得部で、前記かご内操作盤内のいずれかのボタンが、所定時間内に所定回数以上連打されたことを示す連打検知信号が取得されると、前記乗りかごの中の乗客に異常行動があったと判定し、異常行動検知信号を出力する異常行動判定部と、
前記異常行動判定部で異常行動検知信号が出力されたときに、前記乗りかご内の映像情報のうち、前記異常行動検知信号が出力された時点の所定時間前から所定時間後までの映像情報部分を抽出して録画させるための指示を前記映像管理装置に送信する録画処理指示部と
を備えることを特徴とするエレベータ監視装置。
【発明の詳細な説明】
【技術分野】
【０００１】
本発明の実施形態は、エレベータ監視装置に関する。
【背景技術】
【０００２】
従来、エレベータの乗りかご内に監視用のカメラを設置しておき、撮影された映像情報をモニタ画面で監視するシステムがある。
【０００３】
この監視システムを利用することにより、乗りかご内で異常が発生した際の状況を映像情報で確認することができ、防犯対策をとることができる。
【０００４】
また撮影された映像情報を蓄積しておくことにより、過去に乗りかご内で発生した異常事態に関し、後から状況を確認することも可能になる。
【先行技術文献】
【特許文献】
【０００５】
【特許文献１】特開２００４−１４９２８７号公報
【発明の概要】
【発明が解決しようとする課題】
【０００６】
しかし、システム内に蓄積された長時間分の映像情報から、異常発生時の映像情報部分を特定するには膨大な時間と労力を要するため、ユーザにかかる負担が大きいという問題があった。
【０００７】
また、システム内の記憶媒体の容量によって蓄積できる映像情報量に限度があるため、所定時間以前の映像は削除されてしまい、所望の時点の映像情報を視認できない場合があるという問題があった。
【０００８】
本発明は上記事情に鑑みてなされたものであり、エレベータで異常が発生した際に、乗りかご内を撮影した映像情報を、効率よく蓄積することが可能なエレベータ監視装置を提供することを目的とする。
【課題を解決するための手段】
【０００９】
上記目的を達成するための実施形態によればエレベータ監視装置は、センサ情報取得部と異常行動判定部と録画処理指示部とを備える。センサ情報取得部は、エレベータの乗りかご内の状況を判断するためのセンサ情報を取得する。異常行動判定部は、センサ情報に基づいて乗りかごの中の乗客に異常行動があったと判定すると異常行動検知信号を出力する。録画処理指示部は、異常行動検知信号が出力されたときに、乗りかご内に設置される監視カメラ装置で撮影される映像情報のうち、異常行動検知信号が出力された時点の所定時間前から所定時間後までの映像情報部分を抽出して録画させるための指示を送出する。
【図面の簡単な説明】
【００１０】
【図１】第１実施形態によるエレベータ監視装置を利用したエレベータシステムの構成を示すブロック図。
【図２】第１実施形態によるエレベータ監視装置の動作を示すフローチャート。
【図３】第２実施形態によるエレベータ監視装置を利用したエレベータシステムの構成を示すブロック図。
【図４】第２実施形態によるエレベータ監視装置の動作を示すフローチャート。
【図５】第３実施形態によるエレベータ監視装置を利用したエレベータシステムの構成を示すブロック図。
【図６】第３実施形態によるエレベータ監視装置の動作を示すフローチャート。
【図７】第４実施形態によるエレベータ監視装置を利用したエレベータシステムの構成を示すブロック図。
【図８】第４実施形態によるエレベータ監視装置の動作を示すフローチャート。
【発明を実施するための形態】
【００１１】
《第１実施形態》
〈第１実施形態によるエレベータ監視装置を利用したエレベータシステムの構成〉
本発明の第１実施形態によるエレベータ監視装置を利用したエレベータシステムの構成について、図１を参照して説明する。
【００１２】
本実施形態によるエレベータシステム１Ａは、エレベータ内の乗りかご２Ａと、映像記録装置３と、地震計４と、風センサ５と、エレベータ監視装置６Ａと、映像管理装置７と、メモリ８とを備える。
【００１３】
乗りかご２Ａには、乗りかご２Ａ内を俯瞰する位置に設置された監視カメラ装置２１と、床面に設置された荷重検出装置２２とを有する。
【００１４】
監視カメラ装置２１は、乗りかご２Ａ内を撮影し、生成された映像情報を順次映像記録装置３に送信する。
【００１５】
荷重検出装置２２は、乗りかご２Ａにかかっている荷重量を検出する。
【００１６】
映像記録装置３は、監視カメラ装置２１から送信された映像情報を、所定期間（例えば２４時間）記録する。
【００１７】
地震計４は、当該エレベータが設置された建物で地震が発生したことを検知すると地震検知情報を出力する。
【００１８】
風センサ５は、当該エレベータが設置された建物の外部で所定風速値以上の風が発生したことを検知すると風検知情報を出力する。
【００１９】
エレベータ監視装置６Ａは、センサ情報取得部６１Ａと、異常行動判定部６２Ａと、録画処理指示部６３とを有する。
【００２０】
センサ情報取得部６１Ａは、乗りかご２Ａ内の状況を判断するためのセンサ情報として荷重検出装置２２で検出された荷重量と、地震計４から出力された地震検知情報と、風センサ５から出力された風検知情報とを取得する。
【００２１】
異常行動判定部６２Ａは、センサ情報取得部６１Ａで地震検知情報が取得されず、風検知情報が取得されず、且つ乗りかご２Ａが停止しているときに、乗りかご２Ａにかかる荷重量が所定時間内に所定値以上変化したことを検知すると、乗りかご２Ａの中の乗客に異常行動があったと判定し、異常行動検知信号を出力する。
【００２２】
録画処理指示部６３は、異常行動判定部６２Ａから異常行動検知信号が出力されると、映像記録装置３に記録された映像情報のうち、異常行動検知信号が出力された時点の所定時間前から所定時間後までの映像情報部分を抽出して録画させるための録画処理指示を生成して映像管理装置７に送信する。
【００２３】
映像管理装置７は、エレベータ監視装置６Ａから録画処理指示を取得すると、当該指示に基づいて映像記録装置３に記録された中から映像情報部分を抽出し、メモリ８に送信する。
【００２４】
メモリ８は、映像管理装置７の処理により送信された映像情報部分を録画する。
【００２５】
〈第１実施形態によるエレベータシステムの動作〉
次に、本実施形態におけるエレベータシステム１Ａの動作について説明する。
【００２６】
本実施形態において、乗りかご２Ａの監視カメラ装置２１で撮影された乗りかご２Ａ内の映像情報が、順次映像記録装置３に送信され、記録されている。
【００２７】
また、乗りかご２Ａの荷重検出装置２２では、乗りかご２Ａにかかっている荷重量が所定時間間隔で検出され、エレベータ監視装置６Ａに送信されている。
【００２８】
これらの処理が行われている状態で、エレベータ監視装置６Ａで実行される録画制御処理について、図２のフローチャートを参照して説明する。
【００２９】
エレベータ監視装置６Ａでは、乗りかご２Ａから取得された荷重量の情報が、センサ情報取得部６１Ａで取得される（Ｓ１）。センサ情報取得部６１Ａで取得された荷重量の情報は、異常行動判定部６２Ａに送出される。
【００３０】
異常行動判定部６２Ａでは、センサ情報取得部６１Ａから取得された乗りかご２Ａの荷重量が、所定時間内に所定値以上変化したか否かが判定される（Ｓ２）。
【００３１】
例えば、最新の１０秒間に荷重量の増加および減少が連続して発生したことにより１０kg以上の変化が発生したときに、「荷重量が所定時間内に所定値以上変化した」と判定される。
【００３２】
ステップＳ２において「荷重量が所定時間内に所定値以上変化した」と判定されると（Ｓ２の「YES」）、センサ情報取得部６１Ａにおいて当該所定時間内に、地震計４から地震検知情報が取得されているか、および風センサ５から風検知情報が取得されているかが判定される（Ｓ３）。
【００３３】
ステップＳ３において地震検知情報または風検知情報が取得されていないと判定されたとき（Ｓ３の「NO」）には、地震や風以外のいたずら等の要因により乗りかご２Ａで振動が発生し、乗りかご２Ａの中の乗客に異常行動があったと判定され、異常行動検知信号が出力される（Ｓ４）。
【００３４】
異常行動判定部６２Ａから異常行動検知信号が出力されると、録画処理指示部６３により、映像記録装置３に記録された映像情報のうち、異常行動検知信号が出力された時点の所定時間前から所定時間後までの映像情報部分を抽出して録画させるための録画処理指示が生成されて映像管理装置７に送信される（Ｓ５）。
【００３５】
映像管理装置７では、エレベータ監視装置６Ａから録画処理指示が取得されると、当該指示に基づいて映像記録装置３に記録された中から映像情報部分を抽出し、メモリ８に送信して録画する。
【００３６】
以上の第１実施形態によれば、地震や風以外の、いたずら等の要因により乗りかご内で異常が発生したことを検知すると、当該異常発生の前後に乗りかご内を撮影した映像情報を抽出して録画するため、後から異常発生時の映像情報を視聴しやすい状態で、なるべくメモリ容量を占有することなく、記録することができる。
【００３７】
《第２実施形態》
〈第２実施形態によるエレベータ監視装置を利用したエレベータシステムの構成〉
本発明の第２実施形態によるエレベータ監視装置を利用したエレベータシステムの構成について、図３を参照して説明する。
【００３８】
本実施形態によるエレベータシステム１Ｂは、エレベータ内の乗りかご２Ｂと、映像記録装置３と、エレベータ監視装置６Ｂと、映像管理装置７と、メモリ８とを備える。
【００３９】
乗りかご２Ｂには、乗りかご２Ｂ内を俯瞰する位置に設置された監視カメラ装置２１と、乗りかご２Ｂ内の音声情報を所定時間間隔で入力する音声センサ２３とを有する。
【００４０】
監視カメラ装置２１は、乗りかご２Ｂ内を撮影し、生成された映像情報を順次映像記録装置３に送信する。
【００４１】
エレベータ監視装置６Ｂは、センサ情報取得部６１Ｂと、異常行動判定部６２Ｂと、録画処理指示部６３とを有する。
【００４２】
センサ情報取得部６１Ｂは、乗りかご２Ｂ内の状況を判断するためのセンサ情報として、音声センサ２３から入力された音声情報を取得する。
【００４３】
異常行動判定部６２Ｂは、センサ情報取得部６１Ｂで取得された音声情報が、所定値よりも大きい音声情報、所定時間よりも長い音声情報、または異常時に発せられる奇音による音声情報であることを検知すると、乗りかご２Ｂの中の乗客に異常行動があったと判定し、異常行動検知信号を出力する。
【００４４】
録画処理指示部６３は、異常行動判定部６２Ｂから異常行動検知信号が出力されると、映像記録装置３に記録された映像情報のうち、異常行動検知信号が出力された時点の所定時間前から所定時間後までの映像情報部分を抽出して録画させるための録画処理指示を生成して映像管理装置７に送信する。
【００４５】
映像管理装置７は、エレベータ監視装置６Ｂから録画処理指示を取得すると、当該指示に基づいて映像記録装置３に記録された中から映像情報部分を抽出し、メモリ８に送信する。
【００４６】
メモリ８は、映像管理装置７の処理により送信された映像情報部分を録画する。
【００４７】
〈第２実施形態によるエレベータシステムの動作〉
次に、本実施形態におけるエレベータシステム１Ｂの動作について説明する。
【００４８】
本実施形態において、乗りかご２Ｂの監視カメラ装置２１で撮影された乗りかご２Ｂ内の映像情報が、順次映像記録装置３に送信され、記録されている。
【００４９】
また、乗りかご２Ｂの音声センサ２３では、乗りかご２Ｂ内の音声情報が所定時間間隔で検出され、エレベータ監視装置６Ｂに送信されている。
【００５０】
これらの処理が行われている状態で、エレベータ監視装置６Ｂで実行される録画制御処理について、図４のフローチャートを参照して説明する。
【００５１】
エレベータ監視装置６Ｂでは、乗りかご２Ｂから取得された音声情報が、センサ情報取得部６１Ｂで取得される（Ｓ１１）。センサ情報取得部６１Ｂで取得された音声情報は、異常行動判定部６２Ｂに送出される。
【００５２】
異常行動判定部６２Ｂでは、センサ情報取得部６１Ｂから取得された乗りかご２Ｂ内の音声情報が、乗りかご２Ｂ内で所定値よりも大きい音声情報、所定時間よりも長い音声情報、または異常時に発せられる奇音による音声情報であるか否かが判定される（Ｓ１２）。ここで奇音による音声情報であるか否かは、例えば、予め異常時に発せられると予測される悲鳴等の音声パターンと類似するか否かにより判定される。
【００５３】
ステップＳ１２において、所定値よりも大きい音声情報、所定時間よりも長い音声情報、または異常時に発せられる奇音による音声情報が取得されたと判定されたとき（Ｓ１２の「YES」）には、乗りかご２Ｂ内の乗客が奇声や大声を発した等、乗客に異常行動があったと判定され、異常行動検知信号が出力される（Ｓ１３）。
【００５４】
異常行動判定部６２Ｂから異常行動検知信号が出力されると、録画処理指示部６３により、映像記録装置３に記録された映像情報のうち、異常行動検知信号が出力された時点の所定時間前から所定時間後までの映像情報部分を抽出して録画させるための録画処理指示が生成されて映像管理装置７に送信される（Ｓ１４）。
【００５５】
映像管理装置７では、エレベータ監視装置６Ｂから録画処理指示が取得されると、当該指示に基づいて映像記録装置３に記録された中から映像情報部分を抽出し、メモリ８に送信して録画する。
【００５６】
以上の第２実施形態によれば、乗りかご内で大きい音声、長い音声、奇音による音声が発生したことにより異常を検知すると、当該異常発生の前後に乗りかご内を撮影した映像情報を抽出して録画するため、後から異常発生時の映像情報を視聴しやすい状態で、なるべくメモリ容量を占有することなく、記録することができる。
【００５７】
《第３実施形態》
〈第３実施形態によるエレベータ監視装置を利用したエレベータシステムの構成〉
本発明の第３実施形態によるエレベータ監視装置を利用したエレベータシステムの構成について、図５を参照して説明する。
【００５８】
本実施形態によるエレベータシステム１Ｃは、エレベータ内の乗りかご２Ｃと、映像記録装置３と、エレベータ監視装置６Ｃと、映像管理装置７と、メモリ８とを備える。
【００５９】
乗りかご２Ｃには、乗りかご２Ｃ内を俯瞰する位置に設置された監視カメラ装置２１と、乗りかご２Ｃのかごドア２４が開状態であることを検知するとドア開検知情報を出力するドア開検知センサ２５とを有する。
【００６０】
監視カメラ装置２１は、乗りかご２Ｃ内を撮影し、生成された映像情報を順次映像記録装置３に送信する。
【００６１】
エレベータ監視装置６Ｃは、センサ情報取得部６１Ｃと、異常行動判定部６２Ｃと、録画処理指示部６３とを有する。
【００６２】
センサ情報取得部６１Ｃは、乗りかご２Ｃ内の状況を判断するためのセンサ情報として、ドア開検知センサ２５から出力されたドア開検知情報を取得する。
【００６３】
異常行動判定部６２Ｃは、乗りかご２Ｃが建物内のいずれの階床にも着床していないときにセンサ情報取得部６１Ｃでドア開検知情報が取得されると、乗りかご２Ｃの中の乗客に異常行動があったと判定し、異常行動検知信号を出力する。
【００６４】
録画処理指示部６３は、異常行動判定部６２Ｃから異常行動検知信号が出力されると、映像記録装置３に記録された映像情報のうち、異常行動検知信号が出力された時点の所定時間前から所定時間後までの映像情報部分を抽出して録画させるための録画処理指示を生成して映像管理装置７に送信する。
【００６５】
映像管理装置７は、エレベータ監視装置６Ｃから録画処理指示を取得すると、当該指示に基づいて映像記録装置３に記録された中から映像情報部分を抽出し、メモリ８に送信する。
【００６６】
メモリ８は、映像管理装置７の処理により送信された映像情報部分を録画する。
【００６７】
〈第３実施形態によるエレベータシステムの動作〉
次に、本実施形態におけるエレベータシステム１Ｃの動作について説明する。
【００６８】
本実施形態において、乗りかご２Ｃの監視カメラ装置２１で撮影された乗りかご２Ｃ内の映像情報が、順次映像記録装置３に送信され、記録されている。
【００６９】
映像情報の記録処理が行われている状態で、エレベータ監視装置６Ｃで実行される録画制御処理について、図６のフローチャートを参照して説明する。
【００７０】
エレベータ監視装置６Ｃの異常行動判定部６２Ｃでは、センサ情報取得部６１Ｃにおいてドア開検知信号が取得されたか否かが監視されている（Ｓ２１）。
【００７１】
ステップＳ２１においてドア開検知信号が取得されたと判定されると（Ｓ２１の「YES」）、乗りかご２Ｃが建物内のいずれかの階床に着床しているか否かが判定される（Ｓ２２）。
【００７２】
ステップＳ２２において乗りかご２Ｃがいずれの階床にも着床していないと判定されたとき（Ｓ２２の「NO」）には、乗りかご２Ｃの中の乗客がいたずらで無理やりかごドア２４をこじ開けた等、乗客の異常行動があったと判定され、異常行動検知信号が出力される（Ｓ２３）。
【００７３】
異常行動判定部６２Ｃから異常行動検知信号が出力されると、録画処理指示部６３により、映像記録装置３に記録された映像情報のうち、異常行動検知信号が出力された時点の所定時間前から所定時間後までの映像情報部分を抽出して録画させるための録画処理指示が生成されて映像管理装置７に送信される（Ｓ２４）。
【００７４】
映像管理装置７では、エレベータ監視装置６Ｃから録画処理指示が取得されると、当該指示に基づいて映像記録装置３に記録された中から映像情報部分を抽出し、メモリ８に送信して録画する。
【００７５】
以上の第３実施形態によれば、乗りかごが建物内のいずれかの階床に着床していないときに戸開したことによる異常を検知すると、当該異常発生の前後に乗りかご内を撮影した映像情報を抽出して録画するため、後から異常発生時の映像情報を視聴しやすい状態で、なるべくメモリ容量を占有することなく、記録することができる。
【００７６】
《第４実施形態》
〈第４実施形態によるエレベータ監視装置を利用したエレベータシステムの構成〉
本発明の第４実施形態によるエレベータ監視装置を利用したエレベータシステムの構成について、図７を参照して説明する。
【００７７】
本実施形態によるエレベータシステム１Ｄは、エレベータ内の乗りかご２Ｄと、映像記録装置３と、エレベータ監視装置６Ｄと、映像管理装置７と、メモリ８とを備える。
【００７８】
乗りかご２Ｄには、乗りかご２Ｄ内を俯瞰する位置に設置された監視カメラ装置２１と、乗りかご２Ｄ内に設置された、かご内操作盤２６とを有する。
【００７９】
監視カメラ装置２１は、乗りかご２Ｄ内を撮影し、生成された映像情報を順次映像記録装置３に送信する。
【００８０】
かご内操作盤２６には、行き先階指定ボタン２６１、ドア開閉ボタン２６２、非常ボタン２６３等が設置されている。またかご内操作盤２６は、所定時間内のボタン操作回数をカウントするカウンタ２６４（図示せず）と、当該カウンタにより、所定時間内に所定回数以上ボタンが連打されたことを検知すると、連打検知信号を生成してエレベータ監視装置６Ｄに送信する連打検知信号生成部２７６（図示せず）とを有する。
【００８１】
エレベータ監視装置６Ｄは、センサ情報取得部６１Ｄと、異常行動判定部６２Ｄと、録画処理指示部６３とを有する。
【００８２】
センサ情報取得部６１Ｄは、乗りかご２Ｄ内の状況を判断するためのセンサ情報として、連打検知信号を取得する。
【００８３】
異常行動判定部６２Ｄは、連打検知信号がセンサ情報取得部６１Ｄで取得されると、乗りかご２Ｄの中の乗客に異常行動があったと判定し、異常行動検知信号を出力する。
【００８４】
録画処理指示部６３は、異常行動判定部６２Ｄから異常行動検知信号が出力されると、映像記録装置３に記録された映像情報のうち、異常行動検知信号が出力された時点の所定時間前から所定時間後までの映像情報部分を抽出して録画させるための録画処理指示を生成して映像管理装置７に送信する。
【００８５】
映像管理装置７は、エレベータ監視装置６Ｄから録画処理指示を取得すると、当該指示に基づいて映像記録装置３に記録された中から映像情報部分を抽出し、メモリ８に送信する。
【００８６】
メモリ８は、映像管理装置７の処理により送信された映像情報部分を録画する。
【００８７】
〈第４実施形態によるエレベータシステムの動作〉
次に、本実施形態におけるエレベータシステム１Ｄの動作について説明する。
【００８８】
本実施形態において、乗りかご２Ｄの監視カメラ装置２１で撮影された乗りかご２Ｄ内の映像情報が、順次映像記録装置３に送信され、記録されている。
【００８９】
映像情報の記録処理が行われている状態で、エレベータ監視装置６Ｄで実行される録画制御処理について、図８のフローチャートを参照して説明する。
【００９０】
エレベータ監視装置６Ｄの異常行動判定部６２Ｄでは、センサ情報取得部６１Ｄにおいて連打検知信号が取得されたか否かが監視されている（Ｓ３１）。
【００９１】
かご内操作盤２６において、いずれかのボタンが所定時間内に所定回数以上連打されたことにより乗りかご２Ｄから送信された連打検知信号が取得されたと判定されると（Ｓ３１の「YES」）、乗りかご２Ｄの中の乗客がいたずらでボタン操作を行った等、乗客の異常行動があったと判定され、異常行動検知信号が出力される（Ｓ３２）。
【００９２】
異常行動判定部６２Ｄから異常行動検知信号が出力されると、録画処理指示部６３により、映像記録装置３に記録された映像情報のうち、異常行動検知信号が出力された時点の所定時間前から所定時間後までの映像情報部分を抽出して録画させるための録画処理指示が生成されて映像管理装置７に送信される（Ｓ３３）。
【００９３】
映像管理装置７では、エレベータ監視装置６Ｄから録画処理指示が取得されると、当該指示に基づいて映像記録装置３に記録された中から映像情報部分を抽出し、メモリ８に送信して録画する。
【００９４】
以上の第４実施形態によれば、乗りかご内のかご呼びボタンが連打されたことによる異常を検知すると、当該異常発生の前後に乗りかご内を撮影した映像情報を抽出して録画するため、後から異常発生時の映像情報を視聴しやすい状態で、なるべくメモリ容量を占有することなく、記録することができる。
【００９５】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００９６】
１Ａ、１Ｂ、１Ｃ、１Ｄ…エレベータシステム
２Ａ、２Ｂ、２Ｃ、２Ｄ…乗りかご
３…映像記録装置
４…地震計
５…風センサ
６Ａ、６Ｂ、６Ｃ、６Ｄ…エレベータ監視装置
７…映像管理装置
８…メモリ
２１…監視カメラ装置
２２…荷重検出装置
２３…音声センサ
２４…かごドア
２５…ドア開検知センサ
２６…かご内操作盤
６１Ａ、６１Ｂ、６１Ｃ、６１Ｄ…センサ情報取得部
６２Ａ、６２Ｂ、６２Ｃ、６２Ｄ…異常行動判定部
６３…録画処理指示部
２６１…行き先階指定ボタン
２６２…ドア開閉ボタン
２６３…非常ボタン
【図１】
2015151222.tif 000003
【図２】
2015151222.tif 000004
【図３】
2015151222.tif 000005
【図４】
2015151222.tif 000006
【図５】
2015151222.tif 000007
【図６】
2015151222.tif 000008
【図７】
2015151222.tif 000009
【図８】
2015151222.tif 000010
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
エレベータの乗りかごに設置された監視カメラ装置で撮影される、前記乗りかご内の映像情報を管理する映像管理装置に接続されるエレベータ監視装置において、
前記乗りかごにかかる荷重量と、当該エレベータが設置された建物内で地震が発生したことを検知したときに出力される地震検知情報と、当該建物の外部で所定風速値以上の風が発生したことを検知したときに出力される風検知情報とを取得するセンサ情報取得部と、
前記センサ情報取得部で地震検知情報が取得されず、且つ、風検知情報が取得されていないときに、前記乗りかごにかかる荷重量が所定時間内に所定値以上変化すると、前記乗りかごの中の乗客の異常行動により前記乗りかごで振動が発生したと判定し、異常行動検知信号を出力する異常行動判定部と、
前記異常行動判定部で異常行動検知信号が出力されたときに、前記乗りかご内の映像情報のうち、前記異常行動検知信号が出力された時点の所定時間前から所定時間後までの映像情報部分を抽出して録画させるための指示を前記映像管理装置に送信する録画処理指示部と
を備えることを特徴とするエレベータ監視装置。
【手続補正２】
【補正対象書類名】明細書
【補正対象項目名】０００９
【補正方法】変更
【補正の内容】
【０００９】
上記目的を達成するための実施形態によればエレベータ監視装置は、センサ情報取得部と異常行動判定部と録画処理指示部とを備える。センサ情報取得部は、エレベータの乗りかご内の状況を判断するためのセンサ情報を取得する。異常行動判定部は、センサ情報に基づいて乗りかごの中の乗客の異常行動により乗りかごで振動が発生した判定すると異常行動検知信号を出力する。録画処理指示部は、異常行動検知信号が出力されたときに、乗りかご内に設置される監視カメラ装置で撮影される映像情報のうち、異常行動検知信号が出力された時点の所定時間前から所定時間後までの映像情報部分を抽出して録画させるための指示を送出する。